(57)【要約】貯蔵器（１）のネック（１０）に取り付けられるように設計された流体投与部材（２）であって、前記投与部材は、ピストン（４）をスライド可能な形で保持するチャンバ（４３）を形作る本体（２）と、ネック（１０）と協動するように設計された固定部材（３）であって、本体の周りを伸びる前記固定部材と、チャンバ（４３）を静止型投与開口部（８１）に接続する送出チャネル（２３）であって、本体（２）と固定部材（３）との間に形成された前記送出チャネル（２３）と、を有し、前記投与部材の特徴は、固定部材（３）がネック（１０）の内壁（１１）と協動して投与部材をネックに固定するのに適したものであること、という投与部材。
2004511323.tif 000002
【特許請求の範囲】
【請求項１】
貯蔵器（１）のネック（１０）に取り付けられるように設計された流体投与部材（２）であって、前記投与部材は、
ピストン（４）をスライド可能な形で保持するチャンバ（４３）を形作る本体（２）と、
ネック（１０）と協動するように設計された固定部材（３）であって、本体の周りを伸びる前記固定部材と、
チャンバ（４３）を静止型投与開口部（８１）に接続する送出チャネル（２３）であって、本体（２）と固定部材（３）との間に形成された前記送出チャネル（２３）と、を有し、
前記投与部材の特徴は、固定部材（３）がネック（１０）の内壁（１１）と協動して投与部材をネックに固定するのに適したものであること、
という投与部材。
【請求項２】
ネックの内壁に形成された１個以上のノッチ（１２）と協動する役目を果たすスナップ留め手段（３２）を、固定部材（３）が備えていること、
を特徴とする請求項１に記載の投与部材。
【請求項３】
内側では本体（２）と協動して送出チャネル（２３）を形作り、外側ではネックにおけるスナップ留めのためのスナップ留め手段（３２）を形作る、という実質的に円筒形のスカート（３０）を、固定部材（３）が備えていること、
を特徴とする請求項１又は２に記載の投与部材。
【請求項４】
前記送出チャネルは、本体外壁に溝の形で形成されていること、
を特徴とする請求項１乃至３のいずれかに記載の投与部材。
【請求項５】
チャネル（２３）が、実質的の本体の高さ方向全体にわたって伸びていること、
を特徴とする請求項１乃至４のいずれかに記載の投与部材。
【請求項６】
本体（２）は固定部材のスカート（３０）内に、漏れの生じない形でぴったりとスライド移動するようにはめ込まれていること、
を特徴とする請求項１乃至５のいずれかに記載の投与部材。
【請求項７】
送出チャネル（２３）は静止型投与開口部（８１）の周辺で開放していること、
を特徴とする請求項１乃至６のいずれかに記載の投与部材。
【請求項８】
投与開口部（８１）が固定部材（３）に形成されていること、
を特徴とする請求項１乃至７のいずれかに記載の投与部材。
【請求項９】
固定部材（３）に形成されたリセス（３４）内に取り付けられたノズル（８）に、投与開口部（８１）が形成されていること、
を特徴とする請求項１乃至８のいずれかに記載の投与部材。
【請求項１０】
スナップ留め手段（３２）が、ネックのノッチ（１２）内へスナップ留めする役目を果たす１個以上の突起（３２）から成ること、
を特徴とする請求項２又は３に記載の投与部材。
【発明の詳細な説明】
【０００１】
本発明は、流体を投与するための投与部材に関し、当該投与部材は、貯蔵器のネックに取り付けるように設計されたものである。通常、この型の投与部材は、チャンバを形作る本体からなり、本体内部にはピストンがスライド移動するように取り付けられている。さらに、貯蔵器のネックに投与部材を固定するための固定部材を備えることが多い。また、チャンバから投与開口部に流体を運ぶために、送出チャネルを備えることが多い。本発明の投与部材の特徴は、投与部材が静止している点である。
【０００２】
ＷＯ ９３／０３８５７号の公報では、静止型の投与開口部を有する流体投与部材について述べられている。その従来技術の投与部材は本体を有し、当該本体内には、ピストンと協動してポンプチャンバを形作る円筒形部品がはめ込まれている。言いかえれば、ピストン（頂上部にプッシャーを備えたもの）が、投与部材の本体内部に保持された前記円筒形部品の内でスライド移動するように取り付けられている。円筒形部品は、底面側端部において出口弁シートを形作っている。本体は、更に固定部材を備えるが、当該固定部材はスナップ留めリングの形で設けられ、貯蔵器のネックの外側と協動するように設計されている。当該投与部材をネックに保持するために、エンドピースを形作るキャッピング部品が設けられ、エンドピースの端の所に静止型投与開口部が配置されている。更に正確に言えば、かぶせ部品は本体上にネジ留めされており、それによって固定部材を本体上に保持する。また、チャンバを投与開口部につなぐために、送出チャネルが設けられ、当該チャネルは円筒形部品と本体との間を延びている。送出チャネルは、円筒形部品の底面側端部から頂上側端部にまで延びており、投与部材が直立した状態で縦となる。このようにするために、本体の内壁には溝が形成されており、前記溝は、本体内部に取り付けられた円筒形部品によって、漏れの生じない形で隔絶されている。
【０００３】
また、着目すべきは、当該投与部材が４つの部品（ピストンを除く）で構成されている点である。すなわち、本体、円筒形部品、固定部材、そして、キャッピング部品である。
【０００４】
ＦＲ ２ ７１４ ０２７号の文書には、手動ポンプが開示されており、当該ポンプは、中にピストンがスライド可能な形に取り付けられている内部シリンダと、中にシリンダが保持されている本体とを有する。シリンダの外径は本体の内径に比べてかなり小さくなっており、そのため、シリンダと本体との間にはスペースが形作られる。そのスペースの断面は三日月形状となるが、これは、シリンダが本体内で中心から外れた位置に置かれているためである。三日月形状のスペースの容積はかなり大きいのだが、これはデッドボリュームとなる。さらに、本体は上方向に延びて、貯蔵器ネックの外側への固定を実現する固定リングを形成している。スカートとリングとは１つに接続されて単一部品ユニットを形成しているものの、ポンプ本体は２つの別個の部分（すなわち、シリンダを保持するスカート、及び、ネックを囲むリング）で構成されていると言える。着目すべきは、リングをネックの外側に固定するためにポンプの加工径（ｗｏｒｋｉｎｇ−ｄｉａｍｅｔｅｒ）が大きくなってしまう点である。
【０００５】
本発明の目的は、従来技術に関する上述の問題点を解消することであり、そのために、可能な限り構成部品数の少ない投与部材を明示すると共に、中心から外れた形に配置され、デッドボリュームが小さく、静止型投与開口部に通じる、という送出チャネルを明示する。
【０００６】
上記の目的を達成するために、本発明は、貯蔵器のネックに取り付けられるように設計された流体投与部材であって、前記投与部材は、ピストンをスライド可能な形で保持するチャンバを形作る本体と、ネックと協動するように設計された固定部材であって、本体の周りを伸びる前記固定部材と、チャンバを静止型投与開口部に接続する送出チャネルであって、本体と固定部材との間に形成された前記送出チャネルと、を有し、前記投与部材の特徴は、固定部材がネックの内壁と協動して投与部材をネックに固定するのに適したものであること、という投与部材、を提供する。
【０００７】
この構成によれば、固定部材は送出チャネルの形成とともに、投与部材をネックに固定する役割をも果たす。
【０００８】
また、ネックの内壁に形成された１個以上のノッチと協動する役目を果たすスナップ留め手段を、固定部材が備えていること、とすれば効果的である。
【０００９】
また、１つの実施の形態として、固定部材は、内側では本体と協動して送出チャネルを形作り、外側ではネックにおけるスナップ留めのためのスナップ留め手段を形作る、という実質的に円筒形のスカートを備えている。こうすれば、スカートも単独で２つの機能を果たす
【００１０】
また、前記送出チャネルが本体の外壁に溝の形で形成され、前記固定部材が本体に接するスカートを備える、とすれば効果的である。スカートは締まりばめの形で本体と接しているため、本体外壁に設けられた溝は、その全長にわたって隔絶される。また、チャネルが、実質的の本体の高さ方向全体にわたって伸びていること、とするのが好ましい。
【００１１】
また、実用的な実施の形態としては、本体は固定部材のスカート内に、漏れの生じない形でぴったりとスライド移動するようにはめ込まれていること、とする。
【００１２】
また、スナップ留め手段が、ネックのノッチ内へスナップ留めする役目を果たす１個以上の突起から成ること、とするのが効果的である。
【００１３】
そうすると、固定部材は、ほとんど見えない形で２つの機能を果たす。すなわち、その内壁によって溝を隔絶する機能と、
その外壁によってスナップ留め固定を実現する機能とである。そうして、固定部材は基本的に、投与部材の本体を包むスカートの形とすることができる。
【００１４】
本発明の別の特徴的構成として、送出チャネルは静止型投与開口部の周辺で開放している。このようにすれば、流体が流れる通路は可能な限り短くなるので、ヘッドロスが低減され投与動作が容易になる。
【００１５】
また、１つの実施の形態として、投与開口部は、固定部材に形成されていること、又は、固定部材に形成されたリセス内に取り付けられたノズルに形成されていること、とする。
【００１６】
本発明に関しては、非制限的な例として示す本発明の実施の形態を示す単一の図面を参照しながら、以下、更に詳しく説明する。
【００１７】
通常の様態として、図面に示す投与部材も、ポンプ本体２を有するポンプとなっている。当該ポンプ本体２は、内部にピストン４がスライド可能に保持される胴体部を形作り、ピストンは、頂上端部にプッシャー５１を備えた駆動ロッド５の端部に取り付けられている。ポンプ本体２はピストン４と協動して容積の変化するポンプチャンバ４３を形作り、チャンバ４３は、出口２３１と貯蔵器内部に通じる入口２３０とを有する。戻しバネ５２はピストン４を休止位置に戻し、この休止位置ではポンプチャンバ４３の容積が最大となる。また、ピストンのストロークを制限して、その頂上の中心が休止位置に対応するようにするために、フェルール６が設けられている。フェルール６は、ポンプ本体２の頂上側端部においてこの本体２にはめ込まれている。
【００１８】
香水の分野でも見られるが、これは、化粧品用や薬品用の流体ポンプの設計としては全く普通のものである。
【００１９】
投与部材を貯蔵器１のネック１０に固定するために、ネック１０と協動する固定リングの形で固定部材３が設けられている。そうした型の固定リングは、補強リムが形成されたネック１０の外壁と協動するのが一般的である。投与部材をネック外側に固定するためのそうした技術は本発明にも適用可能であるが、ネック１０の内壁１１と協動する固定リングの方が好ましい。これを実現するために、ネック１０の内壁１１はノッチ１２を１個以上備えており、さらに、固定リング３が備えるスカート３０の外壁には、ノッチ１２内部にスナップ留めする役目を果たす突起３２が１個以上設けられている。スカート３０の頂上側端部には肩３３が形成されており、この肩３３はネック１０の頂上側端部を受け止める役割を果たす。突起３２がノッチ１２にスナップ留めされたタイミングで、肩３３はネック１０に接触する。本実施の形態では、固定リング３にリセス３４が形成されており、リセス３４内には、静止型投与開口部８１が形成されたノズル８が取り付けられている。ただし、変形例として、この開口部を直接固定リング３内に形成してもよい。加えて、リングには、出口チャネル３５、そして、渦チャンバ３６及びチャネル３５が形成されている。また、トリムバンドが固定リングを覆うようにすることで、それとネック１０とを隠すことにしてもよい。
【００２０】
ポンプの本体２はリング３のスカート３０にはめ込まれている。ポンプチャンバ４３の出口はポンプ本体２に形成されており、送出チャネル２３を介してノズル８に接続されている。送出チャネル２３は、本体２と固定リング３（詳しく言えば、スカート３０）との間に形成されている。より正確に言えば、本体２の外壁には、出口２３１から別の穴２３２（ポンプ本体の壁を貫通する形で形成されたもの）まで延びる溝が設けられている。本体２がスカート３０内部にはめ込まれると、ポンプの本体に設けられた溝はスカート３０によって完成させられ、その結果、隔絶させられて送出チャネル２３を形成する。流体は穴２３２の出口から、容積の変化するチャンバ７３内に入る。出口弁は差動ピストン７の形で実装されており、当該ピストン７は、フェルール６上でスライドする形に取り付けられているとともに、力をためた形でバネ５２に押されている。よって、バネ５２は、戻しバネとしてだけでなく事前圧縮バネとしての役割も果たす。そのため、チャンバ４３内の圧力が充分に高くなると、差動ピストン７が上方向に移動し、本体２０に設けられた別の穴２５が開かれる。この穴２５は、固定リング３に形成された出口ダクト３５に通じている。以上が本投与部材の特別な構造であるが、本発明の思想から逸脱することなしに様々な変形に耐えることは言うまでもない。その発明思想とは、送出チャネル２３がポンプ本体２０と固定部材（すなわち、本実施の形態の場合ではリング３のスカート３０）との間に形成されている点である。また、固定部材がネックの内壁と協動し、その結果、同じ部品（すなわち、スカート３０）がその内壁、外壁によって２つの機能を果たす、という点が効果的である。
【図面の簡単な説明】
【図１】
本発明の投与部材を、貯蔵器のネックに取り付けられた状態で示す縦断面図である。
【図１】
2004511323.tif 000003
【国際公開パンフレット】
2004511323.tif 000004
2004511323.tif 000005
2004511323.tif 000006
2004511323.tif 000007
2004511323.tif 000008
2004511323.tif 000009
2004511323.tif 000010
2004511323.tif 000011
2004511323.tif 000012
【国際調査報告】
2004511323.tif 000013
2004511323.tif 000014
2004511323.tif 000015
2004511323.tif 000016